(57)【要約】【課題】ユーザーの積極的行為によって好みの浴槽水情報を記憶して高い満足感の給湯制御が得られる給湯装置を提供する。【解決手段】給湯装置は、浴槽３に湯張りする浴槽水の条件を設定するときにユーザーが操作する設定スイッチ３３と、浴槽水の条件から少なくとも湯温、湯量といった浴槽水情報をユーザーの入浴者情報として記憶する入浴者情報記憶部と、現在の浴槽水情報をユーザーの入浴者情報として入浴者情報記憶部に記憶させたいときにユーザーが操作する記憶スイッチ３４と、記憶スイッチ３４の操作によって記憶された入浴者情報を満たすように浴槽水を制御する制御装置１００と、を備えている。【選択図】図１
2008145089.tif 000002
【特許請求の範囲】
【請求項１】
浴槽（３）に湯張りする浴槽水の条件を設定するときにユーザーが操作する設定操作部（３３、４３）と、
前記浴槽水の条件から少なくとも湯温、湯量といった浴槽水情報をユーザーの入浴者情報として記憶する入浴者情報記憶部（１００）と、
現在の浴槽水情報をユーザーの入浴者情報として前記入浴者情報記憶部（１００）に記憶させたいときにユーザーが操作する記憶命令操作部（３４、４４）と、
前記記憶命令操作部（３４、４４）の操作によって記憶された前記入浴者情報を満たすように浴槽水を制御する制御装置（１００）と、
を備えることを特徴とする給湯装置。
【請求項２】
前記制御装置（１００）は、前記入浴者情報が記憶されている複数のユーザーについて、推奨する入浴順番を所定の基準に基づいて決定することを特徴とする請求項１に記載の給湯装置。
【請求項３】
前記所定の基準は前記浴槽（３）内に追加される湯量が最小となる入浴者順番であることを特徴とする請求項２に記載の給湯装置。
【請求項４】
前記所定の基準は使用熱量が最小となる入浴者順番であることを特徴とする請求項２に記載の給湯装置。
【請求項５】
前記浴槽水を追い焚きする浴水追い焚き手段（２７）を備え、
前記所定の基準は前記浴水追い焚き手段（２７）による追い焚き回数が最小となる入浴者順番であることを特徴とする請求項２に記載の給湯装置。
【請求項６】
前記浴槽水を排水する排水手段（２８）を備え、前記制御装置（１００）は、前記複数のユーザーが順番に入浴する過程において前記排水手段（２８）により前記浴槽（３）内の湯量を減らすことを特徴とする請求項２から５のいずれか一項に記載の給湯装置。
【請求項７】
前記記憶命令操作部（３４、４４）が操作されたときに前記浴槽（３）に入浴者が存在している場合には、前記入浴者情報を更新して前記入浴者情報記憶部（１００）に記憶することを特徴とする請求項１から６のいずれか一項に記載の給湯装置。
【請求項８】
前記記憶命令操作部（３６）は複数個からなり、
いずれかの前記記憶命令操作部（３６）が操作されると、現在の前記入浴情報を、操作された前記記憶命令操作部（３６ａ、３６ｂ、３６ｃ、３６ｄ、３６ｅ）に対応する入浴者の前記入浴者情報として前記入浴者情報記憶部（１００）に記憶することを特徴とする請求項１から７のいずれか一項に記載の給湯装置。
【請求項９】
前記浴槽（３）に湯張りされている浴槽水の湯温を検出する湯温検出部（２４）と、
前記湯張りされている浴槽水の湯量を検出する湯量検出部（２２）と、を備え、
ユーザーが記憶命令操作部（３４、４４）を操作すると、前記湯温検出部（２４）および前記湯量検出部（２２）によって検出された現在の浴槽水情報を入浴者情報として前記入浴者情報記憶部（１００）に記憶することを特徴とする請求項１から８のいずれか一項に記載の給湯装置。
【発明の詳細な説明】
【技術分野】
【０００１】
本発明は、設定された浴槽水条件を満たすように浴槽内の湯張りを行う給湯装置に関する。
【背景技術】
【０００２】
従来の給湯装置として特許文献１に記載のものが知られている。この給湯装置は、入浴者に関する条件を入力すれば、その入浴者の好みの入浴状態に対応する湯温、湯量等の入浴条件に自動的に設定して給湯動作を行う。また、入浴条件設定手段によって入浴条件を再設定すれば、再設定された入浴条件にて給湯制御を行い、さらに、記憶内容書替手段が個人データ記憶手段に記憶されている入浴条件を自動的に変更して記憶することができる。
【特許文献１】特開平６−２３５５５１号公報
【発明の開示】
【発明が解決しようとする課題】
【０００３】
しかしながら、上記特許文献１に記載の給湯装置は、入浴者が入浴条件設定手段によって入浴条件（入浴者毎の浴槽水情報）を再設定すると、記憶内容書替手段が記憶済みの入浴条件を自動的に変更して記憶するものであるが、この再記憶された入浴条件が入浴者にとって本当に満足できる入浴条件であるとは限らない。また、再記憶された入浴条件が入浴者にとって満足な入浴条件であるか否かの判断は、入浴者が体感して実際に下した判断でなければ入浴者の満足感が十分に得られているとはいい難い。つまり、自動的な入浴条件の書替では、入浴者は十分な満足感を得られることにはならず、その後、何度か設定し直すという操作が必要になると考えられる。
【０００４】
また、複数の入浴者毎に個別の入浴条件を記憶している場合には、これらの入浴者の入浴順番によっては、複数の者が入浴する過程において追い焚き、さし湯、さし水、または排水が余分に行われることになり、エネルギー効率の悪い給湯が実施されることになる。
【０００５】
そこで、本発明は、上記問題点に鑑みてなされたものであり、ユーザーの積極的行為によって好みの浴槽水情報を記憶して高い満足感の給湯制御が得られる給湯装置を提供することを目的とする。
【０００６】
本発明のさらに他の目的は、複数のユーザーが順番に入浴する場合に、推奨する入浴順番をユーザーに知らせる給湯装置を提供することにある。
【課題を解決するための手段】
【０００７】
上記目的を達成するために以下の技術的手段を採用する。すなわち、給湯装置にかかる第１の発明は、浴槽（３）に湯張りする浴槽水の条件を設定するときにユーザーが操作する設定操作部（３３、４３）と、浴槽水の条件から少なくとも湯温、湯量といった浴槽水情報をユーザーの入浴者情報として記憶する入浴者情報記憶部（１００）と、現在の浴槽水情報をユーザーの入浴者情報として入浴者情報記憶部（１００）に記憶させたいときにユーザーが操作する記憶命令操作部（３４、４４）と、記憶命令操作部（３４、４４）の操作によって記憶されたユーザーの入浴者情報を満たすように浴槽水を制御する制御装置（１００）と、を備えることを特徴としている。
【０００８】
この発明によれば、ユーザーがちょうどいい状態だと感じるときの好みの浴槽水情報を入浴者情報として記憶させることができ、次回以降の入浴時にユーザーの好みの浴槽水を再現することができる。
【０００９】
また、制御装置（１００）は、入浴者情報が記憶されている複数のユーザーについて、推奨する入浴順番を所定の基準に基づいて決定することが好ましい。この発明によれば、複数人、例えば家族が順番に風呂に入る場合に、どのような順番が効率的であるのかをユーザーに対して提示することができるので、ユーザーに高い満足感を提供できる。
【００１０】
また、上記所定の基準は浴槽（３）内に追加される湯量が最小となる入浴者順番であることが好ましい。この発明によれば、ユーザーに対して経済的な使用湯量を実現した入浴順番を提供するので、水道代、電気代（消費電力）、燃料代などを節約する給湯を提供できる。
【００１１】
また、上記所定の基準は使用熱量が最小となる入浴者順番であることが好ましい。この発明によれば、ユーザーに対して経済的な使用熱量を実現した入浴順番を提供するので、電気代（消費電力）、燃料代などを節約する給湯を提供できる。
【００１２】
また、浴槽水を追い焚きする浴水追い焚き手段（２７）を備え、上記所定の基準は浴水追い焚き手段（２７）による追い焚き回数が最小となる入浴者順番であることが好ましい。この発明によれば、ユーザーに対して経済的な追い焚き回数を実現した入浴順番を提供するので、電気代（消費電力）、燃料代などを節約する給湯を提供できる。
【００１３】
また、浴槽水を排水する排水手段（２８）を備え、制御装置（１００）は、複数のユーザーが順番に入浴する過程において排水手段（２８）により湯量を減らすことが好ましい。この発明によれば、異なる入浴者情報のユーザーが順番に入浴する過程において、湯量を減らす湯張りや、湯量は同じで湯温を下げる湯張りを実施できる。
【００１４】
また、記憶命令操作部（３４、４４）が操作されたときに浴槽（３）に入浴者が存在している場合には、入浴者情報を更新して入浴者情報記憶部（１００）に記憶することが好ましい。この発明によれば、誰も入浴していないときに、記憶命令操作部が操作されることによる入浴者情報の誤った更新を防止することができる。
【００１５】
また、記憶命令操作部（３６）は複数個からなり、いずれかの記憶命令操作部（３６）が操作されると、現在の入浴情報を、操作された記憶命令操作部（３６ａ、３６ｂ、３６ｃ、３６ｄ、３６ｅ）に対応する入浴者の入浴者情報として入浴者情報記憶部（１００）に記憶することが好ましい。
【００１６】
この発明によれば、入浴者情報が記憶された複数人のユーザーがいる場合に、個々のユーザーに対応した記憶命令操作部を操作することにより、簡単な操作で入浴者情報を更新することができ、ユーザーの利便性が向上する。
【００１７】
また、浴槽（３）に湯張りされている浴槽水の湯温を検出する湯温検出部（２４）と、湯張りされている浴槽水の湯量を検出する湯量検出部（２２）と、を備え、ユーザーが記憶命令操作部（３４、４４）を操作すると、湯温検出部（２４）および湯量検出部（２２）によって検出された現在の浴槽水情報を入浴者情報として入浴者情報記憶部（１００）に記憶することが好ましい。
【００１８】
この発明によれば、ユーザーがちょうどいい状態だと感じたときの浴槽水から検出した実際の湯温および湯量を入浴者情報として記憶させることができ、ユーザーの好みの浴槽水を次回の入浴の際により正確に再現することができる。
【００１９】
なお、上記各手段の括弧内の符号は、後述する実施形態の具体的手段との対応関係を示す一例である。
【発明を実施するための最良の形態】
【００２０】
（第１実施形態）
本発明の給湯装置は、浴槽内に湯張りを行う際に、例えば、浴槽内の湯量、湯温といった浴槽水の状態を、設定された情報またはあらかじめ記憶された入浴者情報を満たすように制御することができる。上記情報の設定または記憶は、ユーザー操作の命令により行われ、ユーザー操作は、例えば、風呂に設置されたリモコン、台所やリビング等に設置されたリモコンなどを用いて行われる。ユーザーは、現在実際に入浴している入浴者の他、その家族や上記リモコンを操作できる状況にある者である。
【００２１】
給湯装置は、複数のユーザーが順番に入浴する場合には二人目以降の入浴者についても入浴者情報や設定値に基づいて例えば湯量や湯温といったパラメータを自動的に調整することができる。
【００２２】
給湯装置の給湯方式は、特に限定するものではなく、例えば、冷媒を用いたヒートポンプ式や、ガス、石油等燃料を燃焼する燃焼方式がある。第１実施形態では、一例としてヒートポンプ式給湯装置の概略構成を図１を用いて説明する。図１は本実施形態におけるヒートポンプ式給湯装置の概略構成を示した模式図である。
【００２３】
本実施形態のヒートポンプ式給湯装置は、貯湯式のヒートポンプ式給湯装置であり、主に一般家庭用として使用されるものである。また、貯湯タンク１内に蓄えられた給湯用の温水や、ヒートポンプユニット２で沸き上げられた温水を台所、洗面所、浴室などへの給湯水栓や浴槽３に供給するものである。なお、給湯水栓は、シャワー、カラン、手洗い栓などである。
【００２４】
図１に示すように、ヒートポンプ式給湯装置は、水・冷媒熱交換器（図示せず）で水を高温高圧の冷媒と熱交換させて加熱するヒートポンプユニット２と、水・冷媒熱交換器で加熱された温水を貯える貯湯タンク１と、本給湯装置の作動を制御する制御手段である制御装置１００と、を備えている。
【００２５】
そして、ヒートポンプ式給湯装置は、給湯水が流れる主な流路として、貯湯タンク１内の水が水・冷媒熱交換器の水流路を通って貯湯タンク１内上部の高温水部に戻るように貯湯タンク１と水・冷媒熱交換器とを連絡する循環流路２９と、貯湯タンク１内の高温水部の温水が流出して給湯水栓まで流れる給湯流路１３、１６と、給湯流路１３の途中で分岐して浴槽３内につながっている風呂用流入路２１と、を備えている。さらに、貯湯タンク１の下部には、水道水などの市水を取り入れる市水流路８と連通する給水用流路９が接続されている。
【００２６】
貯湯タンク１は、給湯用の湯を蓄える容器であり、耐食性に優れた金属製、例えば、ステンレス製からなり、その外周部に図示しない断熱材が設けられ、給湯用の高温水を長時間に渡って保温することができる。貯湯タンク１は縦長形状であり、その底面に導入口１０が設けられている。
【００２７】
貯湯タンク１には、貯湯タンク内部の貯湯量および貯湯温度を検出するために高さ方向に複数個（図１においては７個）並んだサーミスタからなる水温サーミスタ３８が設けられている。貯湯タンク１内に満たされた湯もしくは水の水位レベルでの温度情報は、制御装置１００に出力される。したがって、制御装置１００は、水温サーミスタ３８からの温度情報に基づいて、貯湯タンク１内上方の沸き上げられた湯と貯湯タンク１内下方の沸き上げ前の水との境界位置を検出できるとともに、これにより貯湯量が検出できるようになっている。
【００２８】
この導入口１０には貯湯タンク１内に市水を供給する市水流入路９が接続されている。市水流入路９には、排水のための排水バルブを設けてもよい。市水流入路９と連通する市水流路８には、給水サーミスタ６と、導入される水道水の水圧が所定圧となるように調節するとともに、断水などにおける湯の逆流を防止する減圧弁７と、が設けられている。この市水流路９は、後述する給湯用混合弁１５につながっている。
【００２９】
貯湯タンク１の底面にはタンク内の最下部の水を吸入するための吸入口５が設けられ、貯湯タンク１の上部にはタンク内の最上部に温水を吐出する吐出口４が設けられている。吸入口５と吐出口４は、水・冷媒熱交換器を介在させて循環流路２９と接続されることで連通している。循環流路２９の一部は水・冷媒熱交換器の水流路を構成している。
【００３０】
循環流路２９には、水・冷媒熱交換器に供給される水の温度を検出する入水温度サーミスタ、逆止弁２８、および循環流路２９の水を強制的に流動させる循環ポンプ（いずれも図示せず）が設けられている。さらに水・冷媒熱交換器の出口には、水・冷媒熱交換器で加熱された水の温度を検出する沸上げ温度サーミスタ（図示せず）が設けられている。そして、いずれのサーミスタによって検出された温度情報も制御装置１００に出力される。
【００３１】
ヒートポンプユニット２は、冷媒として臨界温度の低い二酸化炭素を使用するヒートポンプサイクルを有し、閉回路で構成されたヒートポンプサイクルにおいて圧縮機、加熱手段としての水・冷媒熱交換器、減圧器、および蒸発器が接続されている。ヒートポンプユニット２は、水・冷媒熱交換器の冷媒流路を流れる高温高圧の冷媒と、水・冷媒熱交換器の水流路を流れる水との間で熱交換を行うことにより、温水を沸き上げることができる。ヒートポンプユニット２は制御装置１００に信号の出力を行っている。
【００３２】
ヒートポンプサイクルを超臨界ヒートポンプで構成した場合、一般的なヒートポンプサイクルよりも高温、例えば、８５℃〜９０℃程度の湯を貯湯タンク１内に蓄えることができる。ヒートポンプサイクルは、主に、料金設定の安価な深夜時間帯の深夜電力を利用して貯湯タンク１内の湯を沸き上げる沸上げ給湯運転を行う。
【００３３】
貯湯タンク１の最上部には導出口１１が設けられ、導出口１１には貯湯タンク１内に蓄えられた給湯用の温水のうち、高温水を導出するための給湯流路１３が接続されている。また、貯湯タンク１の最上部には湯温サーミスタ１２が設けられている。なお、この給湯流路１３の経路途中には、三方弁１４が設けられている。三方弁１４は、湯張り用三方弁２０および給湯用混合弁１５に流通させる給湯水の湯温を調節する温度調節弁である。
【００３４】
三方弁１４は、制御装置１００に電気的に接続されており、水温サーミスタ３８および湯温サーミスタ１２によって検出される温度情報に基づいてフィードバック制御される。
【００３５】
給湯流路１６は、下流端に接続されたシャワー、カラン、手洗い栓などの給湯水栓へ設定温度に温度調節された給湯用水を導く流路であり、その流路の中途に給湯用混合弁１５、給湯サーミスタ１８、および流量カウンタ１７が設けられている。給湯サーミスタ１８は給湯流路１６内の温度情報を、流量カウンタ１７は給湯流路１６内の流量情報をそれぞれ制御装置１００に出力する。
【００３６】
給湯用混合弁１５は、給湯流路１６の末端で出湯する給湯用水の湯温を調節する温度調節弁であり、開口面積比、つまり、給湯用水側の開度と市水流路８に連通する水側の開度の比率を調節することによって、出湯する湯温を設定温度に調節する。給湯用混合弁１５は、制御装置１００と電気的に連絡されており、給水サーミスタ６、湯温サーミスタ１２、給湯サーミスタ１８によって検出される温度情報に基づいてフィードバック制御される。
【００３７】
風呂用流入路２１は、湯張り用三方弁２０と下流端の浴槽３とを接続し、浴槽３内に湯張り、差し湯、たし湯などを行うときに、所定温度に温度調節された給湯用水を導く流路である。
【００３８】
給湯装置は、浴槽３内の浴槽水を追い焚きする浴水追い焚き手段２７を備えている。この浴水追い焚き手段２７は、主に、貯湯タンク１内に配置されて浴槽水を貯湯タンク１内の温水と熱交換させて加熱する追焚き用熱交換器１９と、浴槽水を追焚き用熱交換器１９と浴槽３の間で循環させるように設けられた追焚き用循環回路２６と、を備えている。
【００３９】
追焚き用熱交換器１９は、貯湯タンク１内上方、つまり給湯水が高温（例えば、８５℃〜９０℃程度）となる部位に配設されて内部を流通する浴槽水に受熱させる熱交換器である。追焚き用熱交換器１９は、パイプをコイル状に形成し、その鉛直下方端部に導入口が位置し、鉛直上方端部に導出口が位置するように貯湯タンク１に設けられている。
【００４０】
さらに具体的には、追焚き用循環回路２６は、浴槽３から追焚き用熱交換器１９の導入口に向かう往き流路と、追焚き用熱交換器１９の導出口から浴槽３に戻る戻り流路とを構成し、往き流路に浴槽３、湯量検出部である水圧スイッチ２２、流量カウンタ（図示せず）、循環ポンプ２３、湯温検出部である浴水温サーミスタ２４、追焚き用三方弁２５が設けられ、戻り流路である風呂用流入路２１に湯張り用三方弁２０、追い焚きサーミスタ（図示せず）が設けられており、これら各部を順に接続している回路である。さらに、往き流路は、追焚き用熱交換器１９の導入口に向かう途中で追焚き用三方弁２５によって戻り流路と接続されている。追い焚きサーミスタは風呂用流入路２１を流れる浴槽水の湯温を検出する水温センサであり、浴槽３内に戻される浴水温度を検出している。
【００４１】
追焚き用三方弁２５は、浴槽水を追焚き用熱交換器１９に流通させるか、追焚き用熱交換器１９を迂回して風呂用流入路２１に流通させるかのいずれか一方に流通方向を切り替えるための切替弁である。
【００４２】
そして、追い焚き運転が行われる場合には、浴槽３内の浴槽水は循環ポンプ２３の駆動により往き流路を追焚き用三方弁２５に向かって流れて、追焚き用三方弁２５によって流れ方向が追い焚き用熱交換器４１側に切り替えられ、追焚き用熱交換器１９で貯湯タンク１内の温水と熱交換して加熱された後、湯張り用三方弁２０によって戻り流路に流入し再び浴槽３に戻ってくる。
【００４３】
浴槽３内の浴槽水の温度を検出する場合には、追焚き用三方弁２５を風呂用流入路２１側に流れ方向を切り替えるとともに、循環ポンプ２３を作動させることで浴槽３内の浴槽水が往き流路、風呂用流入路２１、浴槽３の順に循環され、浴水温サーミスタ２４により浴槽水の湯温を検出する。
【００４４】
水圧スイッチ２２は、浴槽３内にお湯張りされた浴槽水の湯量、つまり、浴槽３内の浴槽水の水位レベルを求めるための水圧を検出するセンサである。入浴時と非入浴との圧力差から浴槽３内の水位を求めることができる。流量カウンタは往き流路を流通する浴槽水の流量情報を検出するセンサである。循環ポンプ２３は浴槽３内の浴槽水を追焚き用循環回路２６で循環させる電動ポンプである。
【００４５】
浴水温サーミスタ２４は、往き流路を流通する浴槽水の湯温を検出する水温センサである。ここで、水圧スイッチ２２、流量カウンタおよび浴水温サーミスタ２４は、流量情報、容積情報、温度情報を検出し、それぞれ制御装置１００に出力する。循環ポンプ２３、追焚き用三方弁２５は制御装置１００により制御される。
【００４６】
給湯装置は、浴槽水を排水できる排水手段２８を備えている。排水手段２８は、例えば浴槽３に接続された排水管に制御装置１００により制御される電磁弁を設けて構成することができる。排水時以外はこの電磁弁を閉じておき、排水時に電磁弁を開いて重力により浴槽水を流出させて浴槽３の外部に排水するように構成する。制御装置１００は、複数のユーザーが順番に入浴する過程において浴槽水を減らす必要のあるときは排水手段２８を制御して浴槽３内の湯量を減少させることができる。
【００４７】
制御装置１００は、マイクロコンピュータを主体として構成され、記憶手段として内蔵するＲＯＭまたはＲＡＭには、あらかじめ設定された制御プログラムや更新可能な制御プログラムが備えられている。制御装置１００は、各サーミスタからの温度情報、各流量カウンタからの流量情報、および台所、リビング等に設置された台所リモコン４０や風呂に設置された風呂リモコン３０の各種操作スイッチからの操作信号等に基づいて、ヒートポンプユニット２、各種弁、および循環ポンプなどのアクチュエータ類を制御する。
【００４８】
台所リモコン４０や風呂リモコン３０には、電源入り切り操作部、給湯設定温度操作部、湯張り設定操作部、湯張り温度設定操作部、追い焚き運転操作部、追い焚き温度設定操作部などが設けられており、さらに自動調整スイッチ３１、４１と、ユーザースイッチ３２、４２と、設定スイッチ３３、４３と、記憶スイッチ３４、４４とが備えられている。
【００４９】
自動調整スイッチ３１、４１は、設定されたユーザーに対応する湯張りを自動で行うときにユーザーが操作するスイッチである。自動調整スイッチ３１、４１がＯＮ状態のときは、ユーザーが入浴中であるときも設定、または記憶されている浴槽水位（湯量）と湯温を維持する自動調整の制御が行われる。
【００５０】
ユーザースイッチ３２、４２は、入浴するユーザーを指定するときや、ユーザーの入浴者情報を設定するときにユーザーが操作するスイッチである。ここで入浴者情報とは、浴槽３に湯張りする浴槽水の条件を決める情報であり、少なくとも湯温、湯量（水位）である。入浴者情報はユーザー毎に個別に設定または記憶させることができる。
【００５１】
設定スイッチ３３、４３は、入浴者情報を設定、変更するとき、記憶されている複数のユーザーから順送りでユーザーを選択するときなどに操作される。例えば、２つのスイッチ部を有し、このスイッチ部を操作して値を上下させることで設定、選択するように構成されている。
【００５２】
記憶スイッチ３４、４４は、ユーザーが現在の浴槽水情報をユーザーの入浴者情報として制御装置１００の入浴者情報記憶部に記憶させたいときに操作する記憶命令操作部である。
【００５３】
現在の浴槽水情報とは、現在浴槽に溜まっている浴槽水を湯張りするときに、ユーザーによって設定された湯温および湯量（水位）、入浴者情報記憶部から読み込まれた湯温および湯量（水位）、浴水温サーミスタ２４および水圧スイッチ２２によって検出された現在の浴槽水の湯温および湯量（水位）などである。ユーザーには、現在実際に入浴している入浴者だけに限らず、入浴者に代わって記憶スイッチ３４、４４を操作できる状況にある者も含む。ユーザーが記憶スイッチ３４、４４を操作すると、制御装置１００は、現在の浴槽水情報を入浴者情報として入浴者情報記憶部に記憶し、入浴者情報を更新する。
【００５４】
次に、上記構成における給湯装置の作動について説明する。まず、ヒートポンプユニット２は、貯湯タンク１内に貯まっている温水が不足しているときや、深夜電力が使用できる時間帯に沸き上げ運転を行う。
【００５５】
この沸き上げ運転が実行されると、制御装置１００は、貯湯タンク１に設けられた各サーミスタからの温度情報等や、リモコンにより設定された時刻情報等に基づいて、適宜ヒートポンプサイクル２を作動させ、貯湯タンク１内の水を加熱して高温（例えば８５℃の湯）の給湯水を貯える。
【００５６】
そして、貯えられた高温の給湯水を水と混合させて台所、洗面所、浴槽３などの給湯対象個所に給湯するとともに、給湯水の熱量や浴水追い焚き手段を用いて浴槽水を追い焚きする。本実施形態では、給湯装置の各種運転の中から、ユーザー毎に制御される湯張り時の湯量と湯温の自動調整制御、および順番に入浴する複数のユーザーが存在する場合に推奨する入浴順番を提示する制御について、以下に説明する。
【００５７】
まず、湯張り時の湯量と湯温の自動調整制御を図２にしたがって説明する。図２は湯張り運転における自動調整制御処理を示したフローチャートである。制御装置１００は、ステップＳ１０でリモコンの自動調整スイッチ３１または４１がＯＮ状態であることを認識すると、ユーザーにより設定された湯温や入浴者情報記憶部に記憶されている湯温と、浴水温サーミスタ２４によって検出された現在の湯温とを比較し、その差の絶対値が１．５℃よりも大きいか否かを判断する（ステップＳ２０）。
【００５８】
なお、本自動調整制御の実行中にユーザーが手動で設定値を変更する操作を行うと、自動調整スイッチ３１または４１がＯＦＦ状態になり、本自動調整制御は停止する。
【００５９】
ステップＳ２０における判断が１．５℃よりも大きい場合は、次のステップＳ３０で、上記設定等された湯温から上記検出された湯温を差し引いた値が０より小さいか否か、つまり、検出された実際の湯温が設定等された湯温よりも高いか否かを判断する。逆に、ステップＳ２０における判断が１．５℃以下である場合は、後述するステップＳ５０の処理を実行する。
【００６０】
そして、検出された実際の湯温が設定等された湯温よりも低いと判断した場合は、まだ所望の湯温に達していないとみなし熱くするために追い焚き運転を実行する（ステップＳ３５）。制御装置１００は、追い焚き運転を行った後、再びステップＳ１０に戻り以降の各処理を実行する。逆に、検出された実際の湯温が設定等された湯温よりも高いと判断した場合は、ユーザーにとって熱い浴槽水であるとみなし冷やすためにさし水運転を実行する（ステップＳ４０）。また、このステップＳ３の追い焚き運転は、浴槽３内に温水を供給するたし湯運転に代替してもよい。
【００６１】
追い焚き運転は、循環ポンプ２３の駆動力により浴槽３内の浴槽水を追焚き用循環回路２６で循環させて浴槽水を温める運転である。差し水運転は、市水流路８から給湯流路１３への流れが発生するように給湯用混合弁１５を制御し、さらに給湯用混合弁１５側から給湯流路１３を流れてくる市水が風呂用流入路２１に流入するように三方弁１４を制御することにより、市水を浴槽３内に引き込む運転である。
【００６２】
制御装置１００は、さし水運転を行った後、次にステップＳ５０で、ユーザーにより設定された湯量（水位）や入浴者情報記憶部に記憶されている湯量（水位）と、水圧スイッチ２２によって検出された現在の湯量（水位）とを比較し、その差の絶対値が５Ｌよりも大きいか否かを判断する。
【００６３】
ステップＳ５０における判断が５Ｌ（リットル）よりも大きい場合は、次のステップＳ６０で、上記設定等された湯量（水位）から上記検出された湯量（水位）を差し引いた値が０より小さいか否か、つまり、検出された実際の湯量（水位）が設定等された湯量（水位）よりも多い（高い）か否かを判断する。逆に、ステップＳ５０における判断が５Ｌ（リットル）以下である場合は、後述するステップＳ８０の処理を実行する。
【００６４】
そして、検出された実際の湯量（水位）が設定等された湯量（水位）よりも低いと判断した場合は、まだ所望の湯量（水位）に達していないとみなし湯を増やすためにさし湯運転を実行する（ステップＳ６５）。制御装置１００は、さし湯運転を行った後、後述するステップＳ８０に飛び以降の処理を実行する。逆に、検出された実際の湯量（水位）が設定等された湯量（水位）よりも高いと判断した場合は、制御装置１００は、まだ湯量が多すぎるとみなし、排水手段２８を制御して排水運転を実行する（ステップＳ７０）。
【００６５】
差し湯運転は、市水流路８から給湯流路１３への流れが発生するように給湯用混合弁１５を制御し、さらに市水流路８を流れてくる水と給湯流路１３を流れてくる貯湯タンク１上部の温水とが混合するように三方弁１４を制御することにより、混合された適温の湯を三方弁１４から風呂用流入路２１に流して浴槽３内に引き込む運転である。
【００６６】
制御装置１００は、ステップＳ２０における判断が１．５℃以下となり、かつステップＳ５０における判断が５Ｌ以下になるまで、上記さし水運転、追い焚き運転、さし湯運転、または排水運転を上記ステップに従って繰り返し行っていく（ステップＳ８０）。そして、ステップＳ２０における判断が１．５℃以下となり、かつステップＳ５０における判断が５Ｌ以下になると、本自動調整制御を終了する。この１．５℃以下、５Ｌという値は、湯温および湯量の許容範囲を示す一例であり、他の許容範囲を用いてもよい。
【００６７】
本自動調整制御が終了して湯張りが完了したときやユーザーの設定変更により本自動調整制御にかかわらず湯張りが完了したときに、ユーザーが現在の浴槽水を適温、適量と感じて、リモコンの記憶スイッチ３４、４４を押すと、制御装置１００はそのときの湯量（水位）と湯温を入浴者情報記憶部にユーザーの入浴者情報（ユーザー固有の設定値）として記憶する。このとき浴槽３に入浴者が存在している場合には、入浴者情報を更新して入浴者情報記憶部に記憶することが好ましく、これによれば、誰も入浴していないときに、記憶スイッチ３４、４４が操作されることによる入浴者情報の誤った更新を防止することができる。
【００６８】
また、ユーザーは、季節や気候によって好みを変化させたい場合は、入浴しながら手動で好みの湯量（水位）と湯温に調整して、ちょうどいい状態を体感したときに記憶スイッチ３４、４４を押すことで、何℃、何Ｌといった数値設定では判断しがたい自分の好みを自分の入浴者情報に反映させることができる。
【００６９】
制御装置１００は、このときの湯量（水位）について、入浴前の自動調整完了時の湯量（Ｌｆｉｎ）と、入浴初期にユーザーが入ったときの湯量（Ｌｆｉｒｓｔ）とを記憶しておき、この差からユーザー分の湯量（Ｌｕｓｅｒ＝Ｌｆｉｒｓｔ−Ｌｆｉｎ）を求める。これにより、ユーザーが記憶スイッチ３４、４４を押したときの湯量をＬＬとすると、ユーザーの設定水位はＬｓｅｔ＝ＬＬ−Ｌｕｓｅｒの式で求められる。
【００７０】
ユーザーの識別方法は各ユーザーに対してユーザー番号、例えばＮｏ．１、Ｎｏ．２、Ｎｏ．３、Ｎｏ．４、Ｎｏ．５を割り当てたり、入力した名前を登録したりして識別する方法や、後述の複数の記憶スイッチを設け、各ユーザーに固有のスイッチを割り当てて識別する方法がある。
【００７１】
次に、ユーザーが風呂リモコン３０を操作して行う各種操作について図３を用いて説明する。図３は、風呂リモコン３０を用いたユーザー表示切り替え手順を示した模式図である。ユーザーがすでに記憶済みの複数のユーザーの入浴者情報を確認しようとするときには、まずユーザースイッチ３２を押すと、ユーザーＡの入浴者情報が表示され、さらに設定スイッチ３３を押し下げ操作すると、次のユーザーＢの入浴者情報が表示される。引き続き設定スイッチ３３を押し下げ操作していくと、次のユーザーＣ、ユーザーＤと記憶済みの入浴者情報が表示される。このような操作構成とすることにより、操作スイッチ数を低減でき、記憶できるユーザー数を増加がソフト面で容易に行える。
【００７２】
ユーザーが入浴中でないときに自分の入浴者情報を入浴者情報記憶部に記憶させる手順について説明する。まず、ユーザースイッチ３２を押して自分のユーザー表示にする。すると、湯量（水位）と湯温が表示されるので、湯量設定モード、湯温設定モードのうち変更したいモードを選択し、設定スイッチ３３で押し下げ操作または押し上げ操作をして設定値を変更する。変更が完了すれば、確定の操作を行う。
【００７３】
一方、ユーザーが入浴中であるときに自分の入浴者情報を入浴者情報記憶部に記憶させるには、入浴しているときに、設定スイッチ３３を操作してちょうどいいと思われる湯量と湯温に調整して自動調整スイッチ３１をＯＮにする。制御装置１００は、図２を用いて説明した湯張り運転における自動調整制御の各処理を実行して設定された湯量と湯温を満足するように湯張りを行う。
【００７４】
ユーザーは好みの浴槽水の条件を決定するために、試行錯誤しながら湯量と湯温の設定を継続し、これに応じて制御装置１００は自動調整制御の各処理を実行して設定値を満足する湯張りを実施する。ユーザーは最終的に最適の湯温、湯量と感じると、そのときの浴槽水情報を自分の入浴者情報として入浴者情報記憶部に記憶すべく、記憶スイッチ３４を操作する。ユーザーのこれらの操作は、台所リモコン４０を用いても同様に実施することができる。
【００７５】
図４は、風呂リモコン３０の第１の変形例である風呂リモコン３０Ａを示した模式図である。風呂リモコン３０Ａは、風呂リモコン３０に対して記憶命令操作部である記憶スイッチ３６が複数個からなる。複数個の記憶スイッチのうち、スイッチ３６ａはユーザーＡに対応し、スイッチ３６ｂはユーザーＢに、スイッチ３６ｃはユーザーＣに、スイッチ３６ｄはユーザーＤに、スイッチ３６ｅはユーザーＥに、それぞれ対応するように構成されている。
【００７６】
つまり、ユーザーは最終的に最適の湯温、湯量と感じると、この状態を自分の入浴情報として入浴者情報記憶部に記憶できるスイッチを押すことになる。例えば、ユーザーが、ユーザーＡであればスイッチ３６ａを押し、ユーザーＣであればスイッチ３６ｃを押すものである。記憶する状態は、最終的に設定した条件であってもよいし、実際に検出された湯量、湯温であってもよい。この構成によれば、簡単な操作で入浴者情報を更新することができ、ユーザーの利便性が向上する。
【００７７】
この複数個の記憶スイッチ３６は、入浴前にワンクリックした場合には、リモコンに自分の入浴者情報が表示されるとともに、自動調整制御が実行されるように構成してもよい。この構成によれば、ワンクリックで自分の好みの浴槽水条件で自動調整制御が実行されて操作性が単純化できるとともに、ユーザースイッチ、自動調整スイッチ、および記憶スイッチのすべての機能を併せ持つことができる。
【００７８】
図５は、風呂リモコン３０の第２の変形例である風呂リモコン３０Ｂを示した模式図である。風呂リモコン３０Ｂは、風呂リモコン３０に対してアドバイススイッチ３５を追加したものである。ユーザーがアドバイススイッチ３５を押すと、制御装置１００は記憶され、または設定された複数の入浴者情報の中から、推奨する入浴順番を算出して画面に表示するように構成されている。例えばユーザーは、今日入浴するユーザーを選択すると、選択されたユーザーを対象にして推奨する入浴順番の表示を求めることができる。
【００７９】
貯湯式給湯装置では、夜間の電気料金の安い時間帯にヒートポンプユニット２によって湯を加熱して貯湯タンク１に貯えておき、その湯を順次使用するため、本実施形態のようなユーザーによって湯量（水位）と湯温を自動調整する方法では、その順番によって機器の効率が異なってくる。例えば、追い焚きやさし湯を頻繁に行うとタンク内の熱量が奪われるため、使用中の湯切れを防ぐためにヒートポンプユニット２の沸き上げを行うので、システムの効率が低下する原因となる。
【００８０】
そこで、推奨する入浴順番は、所定の基準に基づいて決定されるものであり、例えば、記憶済みの入浴者情報からあらゆる入浴順番についてさし湯の回数、消費熱量などが算出され、これらが最小となる入浴順番である。あるいは、深夜電力が使用できない時間帯のヒートポンプユニット２による沸き上げが少なくなるような入浴順番である。また、推奨する入浴順番は、さし湯回数、消費熱量、追い焚き回数、さし水回数、使用湯量の各パラメータについて重み付けしたポイントを付し、あらゆる入浴順番についてこれらのポイントを算出して合計し、合計ポイントを比較して求めるようにしてもよい。
【００８１】
また、制御装置１００は、記憶済みの入浴者情報からあらゆる入浴順番について上記省エネ、効率の観点から、いくつかの効率的な入浴順番を決定して表示してもよい。この場合、ユーザーがアドバイススイッチ３５を順送りでクリックしていくことでいくつかのお奨めの入浴順番が順に表示され、ユーザーはその中からこれから実行できる入浴順番を選ぶことができる。
【００８２】
さらに、ユーザーがアドバイススイッチ３５を例えば１秒間の長押し操作することにより、制御装置１００は当該入浴順番を実行した場合の１日単位および１週間単位の効果を表示するように構成してもよい。表示する効果は、例えば消費電力、電気料金、実働機器効率である。ユーザーはアドバイススイッチ３５を順送りでクリックしていくことでいくつかのお奨めの入浴順番についての当該効果を比較して、実行する入浴順番の選択に役立てることができる。
【００８３】
次に、複数のユーザーが順番に入浴する場合に推奨する入浴順番を提示する制御について図６〜図１０を用いて説明する。図６は、制御装置１００が記憶している各ユーザーの入浴条件を示した図表である。図７は、おすすめモードが設定されたときの制御処理のメインルーチンを示したフローチャートである。
【００８４】
本実施形態では入浴順番決定の対象とするユーザーを図６に示す家族４人をモデルとして説明する。図７に示すように、おすすめモードが設定されると（ステップＳ１００）、どのような基準によって入浴順番を決定するかが設定される（ステップＳ１１０）。
【００８５】
おすすめモードの設定は、設定スイッチ３３、４３を順送りに操作していく過程で画面表示から選択したり、おすすめモードスイッチ（図示せず）を操作したり、あるいはあらかじめ自動制御項目におすすめモードを組み込んだりして行う。
【００８６】
所定の基準は、浴槽３内に追加される湯量が最小となる入浴順番、使用熱量が最小となる入浴者順番、追い焚き回数が最小となる入浴者順番などである。また、所定の基準は、あらかじめ制御装置１００に記憶されておりおすすめモードが設定されると自動的に設定される構成でもよいし、ユーザーが設定スイッチ３３、４３を順送りに操作していく過程で表示される複数の基準から選択したりしてもよい。
【００８７】
次に、制御装置１００は、記憶済みの入浴者情報や設定された入浴者情報といったデータを読み込み（ステップＳ１２０）、入浴対象者の全通りの順番についてステップＳ１１０で設定された基準を判断基準としてすべての入浴順番を評価する演算を実行する（ステップＳ１４０）。ステップＳ１２０で読み込まれるデータは、図６に示す家族４人の入浴情報（湯量、湯温）である。このステップＳ１４０では、後述する図８〜図１０に示す３パターンのサブルーチンに基づく演算を実行することができる。
【００８８】
ステップＳ１４０の演算が図８〜図１０に示す３パターンのサブルーチンのいずれかひとつによって実行されると、制御装置１００は演算結果に基づいて入浴順番の順位付けを決定する（ステップＳ１７０）。そして、制御装置１００は、Ｓ１７０で決定した順位付けの結果から推奨する入浴順番を少なくとも一つ以上リモコンの画面に表示し（ステップＳ１８０）、おすすめモードの演算処理を終了する。
【００８９】
以下に、ステップＳ１４０の各サブルーチンについて図８〜図１０を用いて説明する。まず、図８にしたがって、使用湯量が最小となる入浴順番の基準を採用して各入浴順番を評価する場合のサブルーチンの処理を説明する。このサブルーチンは、家族４人における全ての入浴順番の２４通り（＝４！）について演算される。
【００９０】
このサブルーチンがスタートすると、まず、Ｌ１を２００Ｌ（ユーザーＡ（父））、Ｌ２を２５０Ｌ（ユーザーＢ（母））、Ｌ３を１５０Ｌ（ユーザーＣ（姉））、Ｌ４を２３０Ｌ（ユーザーＤ（弟））とする第１入浴順番の場合（Ａ、Ｂ、Ｃ、Ｄの順に入浴する場合）について演算する。制御装置１００はステップＳ１４１で使用湯量の合計ＬｓｕｍをＬ１（＝２００Ｌ）とする。
【００９１】
次に、ステップＳ１４２で、Ｌ２がＬ１よりも大きいか否かを判断する。Ｌ２がＬ１よりも大きいと判断されると、Ｌ２とＬ１の差をＬｓｕｍに加えこれを新たなＬｓｕｍとする（ステップＳ１４３）。一方、Ｌ２がＬ１以下であると判断されると、後述するステップＳ１４４を実行する。第１入浴順番の場合は、Ｌ２（＝２５０Ｌ）はＬ１（＝２００Ｌ）よりも大きいので、Ｌｓｕｍ＝２００＋（２５０−２００）＝２５０Ｌとなる。
【００９２】
ステップＳ１４４では、Ｌ３がＬ２よりも大きいか否かを判断する。Ｌ３がＬ２よりも大きいと判断されると、Ｌ３とＬ２の差をＬｓｕｍに加えこれを新たなＬｓｕｍとする（ステップＳ１４５）。一方、Ｌ３がＬ２以下であると判断されると、後述するステップＳ１４６を実行する。第１入浴順番の場合は、Ｌ３はＬ２より小さいので、ステップＳ１４５は実行せず、ステップＳ１４６に飛ぶ。
【００９３】
次に、ステップＳ１４６で、Ｌ４がＬ３よりも大きいか否かを判断する。Ｌ４がＬ３よりも大きいと判断されると、Ｌ４とＬ３の差をＬｓｕｍに加えこれを新たなＬｓｕｍとし、最終的なＬｓｕｍが算出される（ステップＳ１４７）。一方、Ｌ４がＬ３以下であると判断されると、最終的な使用湯量Ｌｓｕｍを前回のＬｓｕｍに決定して演算を終了する。第１入浴順番の場合は、Ｌ４（＝２３０Ｌ）はＬ３（＝１５０Ｌ）よりも大きいので、最終的な使用湯量Ｌｓｕｍは２５０＋（２３０−１５０）＝３３０Ｌと算出される。
【００９４】
他の入浴順番として、例えば、ユーザーがＢ、Ｄ、Ａ、Ｃの順に入浴する場合の演算を行うと、Ｌ１＝２５０Ｌ、Ｌ２＝２３０Ｌ、Ｌ３＝２００Ｌ、Ｌ４＝１５０Ｌであるので、最終的な使用湯量Ｌｓｕｍ＝２５０＋０＋０＋０＝２５０Ｌと算出される。これは最小の使用湯量になると思われる。
【００９５】
制御装置１００は、このように最終的な使用湯量Ｌｓｕｍをすべての入浴順番について算出し、次にメインルーチンのステップＳ１７０ですべての入浴順番について最終的なＬｓｕｍの順位付けを決定する。
【００９６】
次に、図９にしたがって、使用熱量が最小となる入浴順番の基準を採用して各入浴順番を評価する場合のサブルーチンの処理を説明する。このサブルーチンも、家族４人における全ての入浴順番の２４通り（＝４！）について演算する。
【００９７】
このサブルーチンがスタートすると、まず、Ｑ１を２００×４２ｃａｌ（ユーザーＡ（父））、Ｑ２を２５０×４２ｃａｌ（ユーザーＢ（母））、Ｑ３を１５０×４０ｃａｌ（ユーザーＣ（姉））、Ｑ４を２３０×４１ｃａｌ（ユーザーＤ（弟））とする第１入浴順番の場合（Ａ、Ｂ、Ｃ、Ｄの順に入浴する場合）について演算する。制御装置１００はステップＳ１５１で使用熱量の合計ＱｓｕｍをＱ１（＝２００×４２ｃａｌ）とする。
【００９８】
次に、ステップＳ１５２で、Ｑ２がＱ１よりも大きいか否かを判断する。Ｑ２がＱ１よりも大きいと判断されると、Ｑ２とＱ１の差をＱｓｕｍに加えこれを新たなＱｓｕｍとする（ステップＳ１５３）。一方、Ｑ２がＱ１以下であると判断されると、後述するステップＳ１５４を実行する。第１入浴順番の場合は、Ｑ２はＱ１よりも大きいので、Ｑｓｕｍ＝２００×４２＋（２５０×４２−２００×４２）＝１０．５ｋｃａｌとなる。
【００９９】
ステップＳ１５４では、Ｑ３がＱ２よりも大きいか否かを判断する。Ｑ３がＱ２よりも大きいと判断されると、Ｑ３とＱ２の差をＱｓｕｍに加えこれを新たなＱｓｕｍとする（ステップＳ１５５）。一方、Ｑ３がＱ２以下であると判断されると、後述するステップＳ１５６を実行する。第１入浴順番の場合は、Ｑ３はＱ２より小さいので、ステップＳ１５５は実行せず、ステップＳ１５６に飛ぶ。
【０１００】
次に、ステップＳ１５６で、Ｑ４がＱ３よりも大きいか否かを判断する。Ｑ４がＱ３よりも大きいと判断されると、Ｑ４とＱ３の差をＱｓｕｍに加えこれを新たなＱｓｕｍとし、最終的なＱｓｕｍが算出される（ステップＳ１５７）。一方、Ｑ４がＱ３以下であると判断されると、最終的な使用熱量Ｑｓｕｍを前回のＱｓｕｍに決定して演算を終了する。第１入浴順番の場合は、Ｑ４（＝２３０×４１ｃａｌ）はＱ３（＝１５０×４０ｃａｌ）よりも大きいので、最終的な使用熱量Ｑｓｕｍは１０５００＋（２３０×４１−１５０×４０）＝１３．９３ｋｃａｌと算出される。
【０１０１】
他の入浴順番として、例えば、ユーザーがＢ、Ｄ、Ａ、Ｃの順に入浴する場合の演算を行うと、Ｑ１＝２５０×４２ｃａｌ、Ｑ２＝２３０×４１ｃａｌ、Ｑ３＝２００×４２ｃａｌ、Ｑ４＝１５０×４０ｃａｌであるので、最終的な使用熱量Ｑｓｕｍ＝２５０×４２＋０＋０＋０＝１０．５ｋｃａｌと算出される。これは最小の使用熱量になると思われる。
【０１０２】
制御装置１００は、このように最終的な使用熱量Ｑｓｕｍをすべての入浴順番について算出し、次にメインルーチンのステップＳ１７０ですべての入浴順番について最終的なＱｓｕｍの順位付けを決定する。
【０１０３】
次に、図１０にしたがって、追い焚き回数が最小となる入浴順番の基準を採用して各入浴順番を評価する場合のサブルーチンの処理を説明する。このサブルーチンも、家族４人における全ての入浴順番の２４通り（＝４！）について演算する。
【０１０４】
このサブルーチンがスタートすると、まず、Ｑ１を２００×４２ｃａｌ（ユーザーＡ（父））、Ｑ２を２５０×４２ｃａｌ（ユーザーＢ（母））、Ｑ３を１５０×４０ｃａｌ（ユーザーＣ（姉））、Ｑ４を２３０×４１ｃａｌ（ユーザーＤ（弟））とする第１入浴順番の場合（Ａ、Ｂ、Ｃ、Ｄの順に入浴する場合）について演算する。制御装置１００はステップＳ１６１で追い焚き回数の合計Ｒｅｆｓｕｍを０とする。
【０１０５】
次に、ステップＳ１６２で、Ｑ２がＱ１よりも大きいか否かを判断する。Ｑ２がＱ１よりも大きいと判断されると、１をＲｅｆｓｕｍに加えこれを新たなＲｅｆｓｕｍとする（ステップＳ１６３）。一方、Ｑ２がＱ１以下であると判断されると、後述するステップＳ１６４を実行する。第１入浴順番の場合は、Ｑ２はＱ１よりも大きいので、Ｒｅｆｓｕｍ＝０＋１＝１回となる。
【０１０６】
ステップＳ１６４では、Ｑ３がＱ２よりも大きいか否かを判断する。Ｑ３がＱ２よりも大きいと判断されると、１をＲｅｆｓｕｍに加えこれを新たなＲｅｆｓｕｍとする（ステップＳ１６５）。一方、Ｑ３がＱ２以下であると判断されると、後述するステップＳ１６６を実行する。第１入浴順番の場合は、Ｑ３はＱ２より小さいので、ステップＳ１６５は実行せず、ステップＳ１６６に飛ぶ。
【０１０７】
次に、ステップＳ１６６で、Ｑ４がＱ３よりも大きいか否かを判断する。Ｑ４がＱ３よりも大きいと判断されると、１をＲｅｆｓｕｍに加えこれを新たなＲｅｆｓｕｍとし、最終的なＲｅｆｓｕｍが算出される（ステップＳ１６７）。一方、Ｑ４がＱ３以下であると判断されると、最終的な追い焚き回数Ｒｅｆｓｕｍを前回のＲｅｆｓｕｍに決定して演算を終了する。第１入浴順番の場合は、Ｑ４（＝２３０×４１ｃａｌ）はＱ３（＝１５０×４０ｃａｌ）よりも大きいので、最終的な追い焚き回数Ｒｅｆｓｕｍは０＋１＋０＋１＝２回と算出される。
【０１０８】
他の入浴順番として、例えば、ユーザーがＢ、Ｄ、Ａ、Ｃの順に入浴する場合の演算を行うと、Ｑ１＝２５０×４２ｃａｌ、Ｑ２＝２３０×４１ｃａｌ、Ｑ３＝２００×４２ｃａｌ、Ｑ４＝１５０×４０ｃａｌであるので、最終的な追い焚き回数Ｒｅｆｓｕｍ＝０＋０＋０＋０＝０回と算出される。これは最小の追い焚き回数になると思われる。
【０１０９】
制御装置１００は、このように最終的な追い焚き回数Ｒｅｆｓｕｍをすべての入浴順番について算出し、次にメインルーチンのステップＳ１７０ですべての入浴順番について最終的なＲｅｆｓｕｍの順位付けを決定する。
【０１１０】
なお、制御装置１００は、おすすめモードのステップＳ１４０の処理において、図８、図９、および図１０に示す３パターンのサブルーチンのうち、少なくともいずれか二つ以上の演算を実行し、これらの演算結果に基づいて入浴順番の順位付けを決定するようにしてもよい。
【０１１１】
以上のように本実施形態の給湯装置は、少なくとも湯温、湯量といった現在の浴槽水情報をユーザーの入浴者情報として入浴者情報記憶部に記憶させたいときにユーザーが操作する記憶スイッチ３４、４４と、記憶スイッチ３４、４４の操作によって記憶されたユーザーの入浴者情報を満たすように浴槽水を制御する制御装置１００と、を備えている。
【０１１２】
この構成によれば、ユーザーがちょうどいい状態だと感じるときの好みの浴槽水情報を入浴者情報として記憶させることができるので、ユーザーが試行錯誤しながら再設定を繰り返すということを低減できる。そして、次回以降のユーザーの入浴時に好みの浴槽水を再現することができる。
【０１１３】
また、制御装置１００は、ユーザーが記憶スイッチ３４、４４を操作すると、浴水温サーミスタ２４および水圧スイッチ２２によって検出された現在の浴槽水情報を入浴者情報として入浴者情報記憶部１００に記憶する。この構成を採用した場合には、ユーザーがちょうどいい状態だと感じたときの浴槽水から検出した実際の湯温および湯量を入浴者情報として記憶させることができ、ユーザーの体感をより反映した入浴情報を記憶することができる。
【０１１４】
また、制御装置１００は入浴者情報が記憶されている複数のユーザーについて、推奨する入浴順番を所定の基準に基づいて決定する。この制御を採用した場合には、複数人、例えば家族が順番に風呂に入る場合に、ユーザーはこれを参考にして、入浴する順番を決めたり設定値を検討したりすることができる。また、どのような順番が効率的であるのかをユーザーに対して提示するので、ユーザーに高い満足感を提供できる。
【０１１５】
また、給湯装置は浴槽水を排水する排水手段２８を備え、制御装置１００は複数のユーザーが順番に入浴する過程において排水手段２８により湯量を減らす制御を行う。この制御を採用した場合には、複数のユーザーが順番に入浴する過程において、湯量を減らす湯張りや、湯量は同じでも湯温を下げる湯張りを容易に実施することができる。
【０１１６】
（その他の実施形態）
以上、本発明の好ましい実施形態について説明したが、本発明は上述した実施形態に何ら制限されることなく、本発明の主旨を逸脱しない範囲において種々変形して実施することが可能である。
【０１１７】
例えば、上記実施形態の給湯装置は貯湯式であるが、給湯装置はこの形式に限定されるものではなく、同様の湯張り機能、湯量（水位）検出機能、湯温検出機能、追い焚き機能、さし湯機能、さし水機能、浴槽水の排水機能を備えていればよい。
【０１１８】
また、上記実施形態の給湯装置は、排水機能を備えないで、湯温のみ調整するシステムに同様の手法を適用することにより構成してもよい。
【０１１９】
また、上記実施形態においては、制御装置１００は推奨する入浴順番の決定に際して所定の基準に基づいて行う方法を説明したが、これに限定するものではなく、例えば実際にある順番で入浴したときの使用熱用などの実測値を記憶しておき、これに基づいて推奨する入浴順番の決定してもよい。
【０１２０】
また、ヒートポンプユニット２のヒートポンプサイクルを流れる作動冷媒は、二酸化炭素に限定されるものではなく、フロン等の他の冷媒であってもよい。
【０１２１】
また、上記実施形態のヒートポンプユニット２は、冷媒の圧力が臨界圧力以上となる超臨界ヒートポンプサイクルによるものであるが、これに限定されるものではなく、冷媒の圧力が臨界圧力未満のヒートポンプサイクルによるものよい。
【図面の簡単な説明】
【０１２２】
【図１】本発明の第１実施形態における給湯装置の概略構成を示した模式図である。
【図２】第１実施形態の給湯装置が実行する湯張り運転の自動調整制御処理を示したフローチャートである。
【図３】同給湯装置の風呂リモコンを用いたユーザー切り替え手順を示した模式図である。
【図４】同給湯装置の風呂リモコンに係る第１の変形例を示した模式図である。
【図５】同給湯装置の風呂リモコンに係る第２の変形例、および推奨する入浴順序の表示画面等を示した模式図である。
【図６】同給湯装置において制御装置１００が記憶している各ユーザーの入浴条件を示した図表である。
【図７】同給湯装置において、おすすめモードが設定された場合の制御処理を示したフローチャートである。
【図８】図７のフローチャートにおいて、所定の基準として最小使用湯量が設定された場合のステップＳ１４０のサブルーチンを示したフローチャートである。
【図９】図７のフローチャートにおいて、所定の基準として最小使用熱量が設定された場合のステップＳ１４０のサブルーチンを示したフローチャートである。
【図１０】図７のフローチャートにおいて、所定の基準として最小追い焚き回数が設定された場合のステップＳ１４０のサブルーチンを示したフローチャートである。
【符号の説明】
【０１２３】
３…浴槽
２２…水圧スイッチ（湯量検出部）
２４…浴水温サーミスタ（湯温検出部）
２７…浴水追い焚き回路（浴水追い焚き手段）
２８…排水手段
３３、４３…設定スイッチ（設定操作部）
３４、４４…記憶スイッチ（記憶命令操作部）
３６…記憶スイッチ（記憶命令操作部）
３６ａ〜３６ｅ…スイッチ（記憶命令操作部）
１００…制御装置（入浴者情報記憶部）
【図１】
2008145089.tif 000003
【図２】
2008145089.tif 000004
【図３】
2008145089.tif 000005
【図４】
2008145089.tif 000006
【図５】
2008145089.tif 000007
【図６】
2008145089.tif 000008
【図７】
2008145089.tif 000009
【図８】
2008145089.tif 000010
【図９】
2008145089.tif 000011
【図１０】
2008145089.tif 000012